(57)【要約】【課題】小型で、たばこの煙を浄化することができると共に、臭いも同時に除去することができる空気清浄器を提供する。【解決手段】  空気清浄器１００は、吸気口１１ａを有し、外部に空気誘導板１６が設置され、内部に螺旋板状マイナス電極を有するマイナスイオン発生器が配置された本体筒部１１と、内部に煙を吸引する吸引ファン２５、第１のフィルタ２６および第２のフィルタ２７が配置され、上部に本体筒部が固定される基台１５と、本体筒部１１を軸として回転可能に取り付けられる灰皿受け１４とを備える。灰皿に置かれたたばこから立ち上がる煙は本体筒部１１の吸気口１１ａから吸入され、本体筒部１１の内部でマイナスイオン発生器から放出されるマイナスイオンにより処理され、さらに第１のフィルタ２６と第２のフィルタ２７とを通過して基台１５の排気口１５ａから排出される。【選択図】        図２
2006055227.tif 000002
【特許請求の範囲】
【請求項１】
灰皿に置かれたたばこから立ち上がる煙を浄化するための空気清浄器であって、
吸気口を有し、外部に空気誘導板が設置され、内部に螺旋板とマイナスイオン発生器が配置される筒状本体と、
内部に上記煙を吸引するファンと、該煙をろ過するフィルタとが配置され、上部に上記筒状本体の一端が固定される基台と、
上記筒状本体を軸として回転可能に取り付けられる灰皿受けと
を備えることを特徴とする空気清浄器。
【請求項２】
上記螺旋板は、多孔板から形成され、
上記マイナスイオン発生器は、電源部と、針状プラス電極と、マイナス電極から構成され、
上記電源部は、上記円筒状本体の上部に配置され、
上記螺旋板は、上記マイナス電極として用いられる
ことを特徴とする請求項１に記載の空気清浄器。
【請求項３】
上記フィルタは、第１のフィルタおよび第２のフィルタとを備え、
上記第１のフィルタは、ハニカム構造で、上記ファンの出口側に着脱可能に配置され、
上記第２のフィルタは、上記第１のフィルタと上記基台の排気口との間に着脱可能に配置される
ことを特徴とする請求項１に記載の空気清浄器。
【請求項４】
上記空気誘導板は、上記円筒状本体に収納可能とされる
ことを特徴とする請求項１に記載の空気清浄器。
【発明の詳細な説明】
【技術分野】
【０００１】
この発明は、灰皿に置かれたたばこから立ち上がる煙を浄化するための空気清浄器に関する。詳しくは、吸気口を有し、外部に空気誘導板が設置され、内部に螺旋板とマイナスイオン発生器が配置された円筒状本体と、内部に煙を吸引するファン、煙をろ過する第１のフィルタおよび第２のフィルタが配置され、円筒状本体を固定する基台と、円筒状本体の軸線を軸として回転可能に取り付けられる灰皿受けとを備える構成とすることによって、小型で、たばこの煙を浄化することができると共に、臭いも同時に除去することができるようにした空気清浄器に係るものである。
【背景技術】
【０００２】
喫煙によるたばこの煙は喫煙者ばかりでなく、たばこの先から立ち上がる副流煙に含まれる有害物質により周辺の非喫煙者にも影響を及ぼすことから、生活空間や作業空間において喫煙者と非喫煙者の共存が深刻な社会問題となっている。
【０００３】
従来、たばこの煙を清浄化するための装置として空気清浄装置があり、この空気清浄装置は、空気を吸い込んでフィルタを通過させて微細な埃やたばこの煙などを除去して吹き出すことで、空気を清浄化している。
【０００４】
例えば、喫煙時において、たばこの煙が出る状況に対応してたばこの煙を吸い込む動作状態を変更して浄化の動作を行う空気清浄装置が提案されている（例えば、特許文献１参照）。
【０００５】
この場合、ケーシングにおける灰皿に対向する部分には、第１吸気口が設けられる。この第１吸気口の部分には灰皿に置いたたばこから立ち上がる煙の埃等浮揚物を捕集して浄化すうためのフィルタが配置され、このフィルタの内部側に、比較的小型のファンが配置されている。第１吸気口から吸い込んだ空気はフィルタを通過して空気清浄装置本体後方に設けられた排気口から排出される。
【０００６】
また、空気清浄装置本体の前面に、喫煙者がくわえたばこをしている時にたばこから立ち上がる煙や、喫煙者が吸い込んだたばこの煙を吐き出した時の煙を吸い込むための比較的大型の第２吸気口が設けられている。この第２吸気口の部分にはたばこの煙の埃等浮揚物を捕集して浄化するためのフィルタが配置され、このフィルタの内部側に、比較的大型のファンが配置されている。第２吸気口から吸い込んだ空気はフィルタを通過して空気清浄装置本体後方に設けられた排気口から排出される。
【０００７】
【特許文献１】特開２００１−２４５６４９号公報（第２，３頁、第２図）
【発明の開示】
【発明が解決しようとする課題】
【０００８】
しかしながら、上述したような従来の喫煙用空気清浄装置の場合、たばこの煙を吸い込んでフィルタを通過させ除去することができるが、たばこの臭いを除去することができないという問題があった。
【０００９】
そこで、この発明は、小型で、たばこの煙を浄化することができると共に、臭いも同時に除去することができるようにした空気清浄器を提供することを目的とする。
【課題を解決するための手段】
【００１０】
この発明に係る空気清浄器は、灰皿に置かれたたばこから立ち上がる煙を浄化するための空気清浄器であって、吸気口を有し、外部に空気誘導板が設置され、内部に螺旋板とマイナスイオン発生器が配置される筒状本体と、内部に上記煙を吸引するファンと、該煙をろ過するフィルタとが配置され、上部に筒状本体の一端が固定される基台と、筒状本体を軸として回転可能に取り付けられる灰皿受けとを備えるものである。
【００１１】
この発明においては、筒状本体の吸気口の外側に空気誘導板が設置され、内部に螺旋板とマイナスイオン発生器が配置される。この筒状本体に灰皿受けが設けられ、この灰皿受けは筒状本体を軸として回転可能に取り付けられる。基台の内部に煙を吸引するファンと、煙をろ過するフィルタとが配置される。灰皿に置かれたたばこから立ち上がる煙は、空気誘導板によりガイドされ、筒状本体の吸気口から吸入され、筒状本体の内部でマイナスイオン発生器により処理され、さらにフィルタを通過して基台の排気口から排出される。
【００１２】
これにより、煙を効率よく吸入することができ、喫煙用空気清浄器の小型化を図ることができると共に、たばこの煙と臭い同時に除去することが可能となる。
【００１３】
例えば、螺旋板は、多孔板であり、マイナスイオン発生器は、イオン発生器電源部と、針状プラス電極と、マイナス電極から構成され、イオン発生器電源部は、筒状本体の上部に配置され、螺旋板は、マイナス電極として用いられる。これにより、吸気口から吸い込んだ煙は、竜巻流方式で円筒状本体を通過することで、停留時間が長くなり、マイナスイオン発生器から放出したマイナスイオン、オゾンと効率よく接触することができ、たばこの不快な臭い成分を分解することが可能となる。また、マイナスイオンにより通過空気を殺菌することも可能となる。
【００１４】
また例えば、フィルタは、第１のフィルタおよび第２のフィルタとを備え、第１のフィルタは、ハニカム構造で、ファンの出口側に着脱可能に配置され、第２のフィルタは、第１のフィルタと基台の排気口との間に着脱可能に配置される。これにより、円筒状本体を通過した煙はハニカム構造の第１のフィルタおよび活性炭からなる第２のフィルタを通過することで、ファンから吹き出した気流を均等に分配し、第２のフィルタに通過させ、微細な埃やたばこの煙、および残留している臭い成分（例えばアセトアルデヒド・酢酸・アンモニア）を第２のフィルタに吸着して除去することが可能となる。
【００１５】
また、筒状本体に空気誘導板がさらに設けられることで、周囲空気流の影響を抑え、灰皿に置かれたたばこから立ち上がる煙を効率よく吸い込むことが可能となる。
【発明の効果】
【００１６】
この発明によれば、空気清浄器は、吸気口を有し、外部に空気誘導板が設置され、内部に螺旋板とマイナスイオン発生器が配置される筒状本体と、内部に煙を吸引するファン、煙をろ過する第１のフィルタおよび第２のフィルタとが配置され、円筒状本体を固定する基台と、円筒状本体の軸線を軸として回転可能な、灰皿を配置するためのアームとを備えるものであり、煙を効率よく吸入することができ、喫煙用空気清浄器の小型化を図ることができると共に、たばこの煙と臭い同時に除去することができる。
【発明を実施するための最良の形態】
【００１７】
以下、図面を参照しながら、この発明の実施の形態の空気清浄器について説明する。
図１は、空気清浄器全体の斜視図である。図１に示すように、空気清浄器１００は、本体筒部１１と、キャップ１２と、基台衝合部１３と、灰皿受け１４と、基台１５と、空気誘導板１６とから構成されている。
【００１８】
本体筒部１１は、金属、樹脂など材料から薄壁円筒状に形成されている。側面の長さ方向に吸気口１１ａが設けられている。また、本体筒部１１の上部には、キャップ１２が取り付けられるようになされる。本体筒部１１の下部は、基台衝合部１３を介して基台１５に固定される。なお、本体筒部１１は、円筒状に限定されるものではない。他の形状にしてもよい。
【００１９】
キャップ１２は、本体筒部１１の上部に覆うようになされる。このキャップ１２は、勘合またはネジ込み等の方法によって本体筒部１１に固定されている。キャップ１２は、空気誘導板１６の上部を保持することができる（図２参照）。
【００２０】
基台衝合部１３は、中空円台状に形成されている。この基台衝合部１３は基台の一部として本体筒部１１と一体に形成されている。なお、基台衝合部１３は、本体筒部１１と別体に形成され、本体筒部１１にネジなどで固定されるようにしてもよい。
【００２１】
また、基台衝合部１３には、電源スイッチ１７、ランプ１８、電源プラグ１９を差し込む電源コネクタ２９が設けられている。電源スイッチ１７は、吸引ファンの回転速度を調整することが可能である。
【００２２】
灰皿受け１４は、所定厚さ板材から形成されたものである。この灰皿受け１４の一端に回転筒１４ａが設けられている。この回転筒１４ａにより本体筒部１１に回転可能に取り付けられている。灰皿受け１４の他端には灰皿を嵌め込むことができる穴１４ｂが設けられている。また、回転筒１４ａには、空気誘導板１６を保持するための凹部が設けられている（図２参照）。
【００２３】
基台１５は、中空円台状に形成されている。基台１５の上端は設けられた係合部により基台衝合部１３の下端とを回転ロックして固定することが可能である。また、基台１５の側面の一部には、浄化処理後の空気を排出するための排気口１５ａが設けられている。ここで、排気口１５ａは、スリット状開口（複数の細長孔）からなる。なお、排気口１５ａの開口形状、および開口方向は、図示したものに限定されるものではない。他の開口形状および開口方向にしてもよい。
【００２４】
空気誘導板１６は、樹脂など湾曲可能なシート材１６ａと安定フィン１６ｂから構成され、周辺気流の影響を抑え、煙をガイドする作用を有している。この空気誘導板１６は、キャップ１２の凹部と回転筒１４ａの凹部により保持されている。また、空気誘導板１６は、キャップ１２の凹部と回転筒１４ａの凹部に沿ってスライドすることが可能とされ、これにより空気誘導板１６は本体筒部１１の外周に収納されることができる。また、空気誘導板１６は、キャップ１２の凹部と回転筒１４ａの凹部から外すことを防止するストパー機構を設けてもよい。なお、空気誘導板１６に硬質のシート材１６ａを用いる場合には、安定フィン１６ｂを設けなくてもよい。
【００２５】
図２は空気清浄器１００の縦断面図である。また、図３は空気清浄器１００の横断面図である。ここで、図３は、図２に示す空気清浄器１００のＡ−Ａ部断面で上から下に見た図である。
【００２６】
図２に示すように、本体筒部１１には、イオン発生器電源部２１と、プラス電極２２と、マイナス電極２３と、イオン発生器電源部２１およびプラス電極２２を配置する取付板２４とが設けられている。
【００２７】
イオン発生器電源部２１は、マイナスイオンを発生するために、プラス電極２２とマイナス電極２３に印加される電圧を発生するものである。このイオン発生器電源部２１は、取付板２４の上部に装着されている。イオン発生器電源部２１の上部はキャップ１２により覆われる。
【００２８】
プラス電極２２は、針状に形成される。このプラス電極２２は、取付板２４の上部から取付板２４を貫通して針部を本体筒部１１の内部に露出するように配置されている。また、プラス電極２２は、本体筒部１１の中心線より所定距離をずらした位置、且つマイナス電極２３のほぼ中心部に配置される。
【００２９】
マイナス電極２３は、図４に示すように、多孔状金属板材が用いられ、トルネード（螺旋状）に巻かれたように形成される。このマイナス電極２３は、本体筒部１１の中に配置され、上部にはイオン発生器２１と接続するための端子が設けられている。なお、マイナス電極２３は、金属線からなる網を用いてもよい。
【００３０】
このような構成により、上部に上がった煙もスムーズに吸入することができる。また、吸入した煙を含む気流は渦巻き状でマイナス電極２３の中部を通過する際に、マイナス電極２３表面から放出されるマイナスイオン、オゾンと効率よく接触することができる。このようにマイナスイオンの雰囲気中をたばこの煙等が通過すると、たばこの煙やたばこの煙中に含まれる不快な臭いなどが分解されて消臭される。また、マイナスイオンにより吸入された空気（煙を含む）に対して殺菌する効果も得られる。また、煙に含まれるニコチン、タール等有害物質をマイナス電極表面に吸着し除去することができる。
【００３１】
また図２に示すように、基台衝合部１３と基台１５の内部には、吸引ファン２５と、第１のフィルタ２６と、第２のフィルタ２７とが設けられている。
【００３２】
吸引ファン２５は、例えば市販のＤＣ１２Ｖの冷却用ファンである。この吸引ファン２５は、送風方向が上から下にくるように基台衝合部１３に取り付けられている。吸引ファン２５の電源は、電源プラグ１９を介して外部から供給されるＤＣ１２Ｖの電源である。電源プラグ１９は、ＡＣ／ＤＣ変換アダプタのＤＣ端子である。また、吸引ファン２５の回転速度は、例えば２段階切り替え可能とされる。吸引ファン２５の回転速度を上げると、煙などを吸引する吸引力が強くなる。
【００３３】
第１のフィルタ２６は、ハニカム構造の活性炭フィルタである。この第１のフィルタ２６は、第２のフィルタ２７の上部に配置される。ハニカム構造の例は図５に示している。第１のフィルタ２６により煙の一部を吸着すると共に、吸引ファン２５から吹き出した気流を均等に分配し、第２のフィルタ２７に通過させる。
【００３４】
第２のフィルタ２７は、脱臭機能を有する活性炭フィルタである。この第２のフィルタ２７は、基台１５の底面となる底蓋２８に設けられる凹部にはめ込んで固定される。なお、第１のフィルタ２６と第２のフィルタ２７とを、専用のフィルタケースを用いて底蓋２８に固定するようにしてもよい。また、底蓋２８を基台１５と一体にしてもよい。なお、第１のフィルタ２６と第２のフィルタ２７は、活性炭フィルタ以外の脱臭機能を有するフィルタを用いてもよい。
【００３５】
図６は、空気誘導板１６の保持および収納状態を示す図である。図６（ａ）は、空気誘導板１６がキャップ１２の凹部に保持される状態を示している。図６（ｂ）は、空気誘導板１６が回転筒１４ａの凹部に保持される状態を示している。図６（ｃ）は、空気誘導板１６の収納状態を示している。
【００３６】
図６（ａ）に示すように、空気誘導板１６の上部はキャップ１２の凹部と本体筒部１１との間に保持される。また図６（ｂ）に示すように、空気誘導板１６の下部は回転筒１４ａの凹部と本体筒部１１との間に保持される。
【００３７】
また、図６（ｃ）に示すように、空気誘導板１６は、本体筒部１１の外周に巻き取ることにより収納される。従って、不使用状態では、空気誘導板１６を収納することでコンパクトになる。
【００３８】
図７は、空気清浄器１００の使用状態を示す図である。図７に示すように、空気清浄器１００の使用状態においては、灰皿が灰皿受け１４に置かれており、また、空気誘導板１６は本体筒部１１の収納部から引き出された状態である。電源プラグ１９を基台１５に設けられている電源コネクタ２９に差し込み、スイッチ１７を「１」または「２」の位置に切り替えると、吸引ファン２５が動作し、本体筒部１１の吸気口１１ａから灰皿に置かれたたばこから立ち上がる煙を吸入する。吸入された煙を含む気流は渦巻き状にマイナス電極２３の中部を通過する。そして、この煙を含む気流は吸引ファン２５の排出口側に配置された第１のフィルタ２６と第２のフィルタ２７を通過して排気口１５ａから排出される。吸気口１１ａから吸い込んだ煙は、本体筒部１１を通過する際に、マイナスイオンにより浄化、消臭処理され、また、第１のフィルタ２６と第２のフィルタ２７を通過することで、煙の微粒子およびたばこの不快な臭いがさらに除去される。
【００３９】
このように本実施の形態においては、吸気口１１ａを有し、外部に空気誘導板１６が設置され、内部にイオン発生器電源部２１とプラス電極２２と螺旋板状マイナス電極２３とから構成されるマイナスイオン発生器が配置された本体筒部１１と、内部に煙を吸引する吸引ファン２５、第１のフィルタ２６および第２のフィルタ２７が配置され、上部に本体筒部が固定される基台１５と、本体筒部１１を軸として回転可能に取り付けられる灰皿受け１４とを備える。灰皿に置かれたたばこから立ち上がる煙は本体筒部１１の吸気口１１ａから吸入され、本体筒部１１の内部でマイナスイオン発生器から放出されるマイナスイオンにより処理され、さらに第１のフィルタ２６と第２のフィルタ２７とを通過して基台１５の排気口１５ａから排出される。
【００４０】
これにより、煙を効率よく吸入することができ、喫煙用空気清浄器の小型化を図ることができ、たばこの煙を浄化することができると共に、臭いも同時に除去することができる。
【００４１】
例えば、マイナスイオン発生器は、イオン発生器電源部２１と、針状プラス電極２２と、マイナス電極２３から構成され、イオン発生器電源部２１は、本体筒部１１の上部に配置され、マイナス電極２３は、螺旋状に巻かれて形成される。これにより、吸気口１１ａから吸い込んだ煙は、竜巻流方式で本体筒部１１を通過することで、停留時間が長くなり、マイナスイオン発生器から放出したマイナスイオン、オゾンと効率よく接触することができ、たばこの不快な臭い成分を分解することが可能となる。また、マイナスイオンにより通過空気を殺菌することも可能である。
【００４２】
また例えば、第１のフィルタ２６は、ハニカム構造で、吸引ファン２５の出口側に着脱可能に配置され、第２のフィルタ２７は、活性炭からなり、第１のフィルタ２６と基台１５の排気口との間に着脱可能に配置される。これにより、本体筒部１１を通過した煙はハニカム構造の第１のフィルタ２６および活性炭からなる第２のフィルタ２７を通過することで、吸引ファン２５から吹き出した気流を均等に分配し、第２のフィルタ２７に通過させ、微細な埃やたばこの煙、および残留している臭い成分（例えばアセトアルデヒド・酢酸・アンモニア）を第２のフィルタ２７に吸着して除去することができる。
【００４３】
また、本体筒部１１に空気誘導板１６が設けられることで、周囲空気流の影響を抑え、灰皿に置かれたたばこから立ち上がる煙を効率よく吸い込むことができる。
【００４４】
次に、空気清浄器の他の実施例について説明する。図８は、空気清浄器の他の実施例を示す図である。この空気清浄器２００は、空気誘導板以外は上述した空気清浄器１００と同様な構成を有している。また、この図８において、図１と対応する部分には同一符号を付して示している。
【００４５】
図８に示すように、空気清浄器２００は、本体筒部１１と、キャップ１２と、基台衝合部１３と、灰皿受け１４と、基台１５と、空気誘導板３０とから構成されている。
【００４６】
上述したように、本体筒部１１には、イオン発生器電源部２１と、プラス電極２２と、マイナス電極２３と、イオン発生器電源部２１およびプラス電極２２を配置する取付板２４とが設けられている。また、基台衝合部１３と基台１５の内部には、吸引ファン２５と、第１のフィルタ２６と、第２のフィルタ２７とが設けられている（図２参照）。
【００４７】
空気誘導板３０は、樹脂など湾曲可能なシート材３０ａと、安定フィン３０ｂと、挿入挟持部３０ｃとから構成されている。この空気誘導板３０は、着脱式であり、挿入挟持部３０ｃによりキャップ１２の凹部と回転筒１４ａの凹部に固定される。また、空気誘導板３０は縦方向に大きくしたものであり、灰皿受け１４以下の部分にも空気流の影響を抑えることが可能である。また、使用しない場合、簡単に取り外すことができる。なお、空気誘導板３０は、硬質のシート材３０ａを用いる場合は、安定フィン３０ｂを設けなくてもよい。
【００４８】
このように本実施の形態においては、吸気口１１ａを有し、外部に空気誘導板１６が設置され、内部にイオン発生器電源部２１とプラス電極２２と螺旋板状マイナス電極２３とから構成されるマイナスイオン発生器が配置された本体筒部１１と、内部に煙を吸引する吸引ファン２５、煙をろ過する第１のフィルタ２６および第２のフィルタ２７が配置され、上部に本体筒部が固定される基台１５と、本体筒部１１を軸として回転可能に取り付けられる灰皿受け１４とを備える。さらに、空気誘導板３０を用いるようになされる。灰皿に置かれたたばこから立ち上がる煙は本体筒部１１の吸気口１１ａから吸入され、本体筒部１１の内部でマイナスイオン発生器から放出されるマイナスイオンにより処理され、さらに第１のフィルタ２６と第２のフィルタ２７とを通過して基台１５の排気口１５ａから排出される。
【００４９】
これにより、煙を効率よく吸入することができ、喫煙用空気清浄器の小型化を図ることができ、たばこの煙を浄化することができると共に、臭いも同時に除去することができる。されに、比較的に大きな空気誘導板３０が設けられることで、周囲空気流の影響を抑え、灰皿に置かれたたばこから立ち上がる煙を効率よく吸い込むことができる。
【００５０】
なお、上述実施の形態においては、空気誘導板１６，３０を設けたものとしたが、これに限定されるものではない。
【００５１】
また、上述実施の形態においては、吸引ファン２５は、第１のフィルタ２６と第２のフィルタ２７の上部に取り付けられた場合について説明したが、これに限定されるものではない。吸引ファン２５を第１のフィルタ２６と第２のフィルタ２７の下部に配置するようにしてもよい。
【００５２】
また、上述実施の形態においては、電源スイッチ１７とランプ１８は、空気清浄器１００，２００の下部の基台衝合部１３に設けたが、これに限定されるものではない。例えば電源スイッチ１７とランプ１８を本体筒部１１の上部に設けられたキャップ１２に配置してもよい。
【００５３】
また、上述実施の形態においては、電源コネクタ２９を基台１５の側面に設けたものである。これに限定されるものではない。例えば裏面に設けてもよい。なお、空気清浄器１００，２００に配置する灰皿には、蓋付きのハニカム式灰皿を用いてもよい。
【産業上の利用可能性】
【００５４】
以上のように、この発明に係る空気清浄器は、灰皿に置かれたたばこから立ち上がる煙を浄化するための喫煙用空気清浄器として、小型化を図ると共に、たばこの煙と臭い同時に除去する目的に適用できる。
【図面の簡単な説明】
【００５５】
【図１】実施の形態の空気清浄器の構成を示す斜視図である。
【図２】空気清浄器１００の縦断面図である。
【図３】空気清浄器１００の横断面図である。
【図４】マイナス電極の構成を示す斜視図である。
【図５】第１のフィルタのハニカム構造例を示す図である。
【図６】空気誘導板の保持および収納状態の説明図である。
【図７】空気清浄器１００の使用状態を示す図である。
【図８】空気清浄器の他の実施例を示す図である。
【図９】空気誘導板３０の構成例を示す図である。
【符号の説明】
【００５６】
１１・・・本体筒部、１１ａ・・・吸気口、１２・・・キャップ、１３・・・基台衝合部、１４・・・灰皿受け、１５・・・基台、１５ａ・・・排気口、１６，３０・・・空気誘導板、１６ａ，３０ａ・・・シート材、１６ｂ，３０ｂ・・・安定フィン、１７・・・スイッチ、１８・・・ランプ、１９・・・電源プラグ、２１・・・イオン発生器電源部、２２・・・プラス電極、２３・・・マイナス電極、２４・・・取付板、２５・・・吸引ファン、２６・・・第１のフィルタ、２７・・・第２のフィルタ、２８・・・底蓋、２９・・・電源コネクタ、１００，２００・・・空気清浄器
【図１】
2006055227.tif 000003
【図２】
2006055227.tif 000004
【図３】
2006055227.tif 000005
【図４】
2006055227.tif 000006
【図５】
2006055227.tif 000007
【図６】
2006055227.tif 000008
【図７】
2006055227.tif 000009
【図８】
2006055227.tif 000010
【図９】
2006055227.tif 000011